(57)【特許請求の範囲】
【請求項１】
空気吹き出し口に設けられた複数の羽根を回動することにより、前記空気吹き出し口より吹き出される空気の風向を調整する風向調整装置であって、前記複数の羽根に連動され、かつ上下方向へスライド自在なスライドリンクと、正逆回転する回転駆動源により駆動されて、前記スライドリンクをスライドさせる揺動手段とから構成され、前記揺動手段を、前後動自在に設けられ、かつサブリンクを介して前記スライドリンクに連動されたスライド部材と、前記回転駆動源により回転され、かつ前記スライドリンク及び前記スライド部材より突設されたガイドピンが嵌入するガイド溝を両面に有する回転部材とから構成して、前記揺動手段により前記スライドリンクを介して前記羽根を揺動させることにより、前記空気吹き出し口より吹き出される空気の平行風を上下方向へ自動スイングさせると共に、前記自動スイングの途中で、空気を拡散または集中させる特性風を発生させることを特徴とする風向調整装置。
【請求項２】
前記回転駆動源により前記回転部材を正逆回転させることにより、前記スライドリンクを上下方向に、また前記スライド部材を前後方向にスライドさせてなる請求項１に記載の風向調整装置。
【請求項３】
操作ノブにより前記羽根を回動することにより、手動で風向調整を可能にしてなる請求項１又は請求項２に記載の風向調整装置。
【発明の詳細な説明】
【０００１】
【発明の属する技術分野】
本発明は自動及び手動の何れでも風向調整が自在な風向調整装置に関する。
【０００２】
【従来の技術】
従来空気吹き出し口より車室内へ吹き出される空気の風向を自動的に調整できるようにした風向調整装置として、例えば実開平５‐１６４１５号公報に記載されたものが公知である。
【０００３】
前記公報の風向制御装置は、ガイド板に沿って摺動自在なスライド板に複数のカム溝を形成して、これらカム溝に縦ルーバより突設されたピンが嵌挿されている。
【０００４】
またスライド板は正逆回転される駆動モータによりクラッチ歯車及び中間歯車を介して往復動されるようになっていると共に、スライドスイッチとスライド板を連動させて、スライドスイッチにより縦ルーバの角度を選択する信号を得て駆動モータを制御することにより、制御装置との連動操作パターン及びオートエアコンとの組合せにより、風量及び風向が多彩に制御できるように構成されている。
【０００５】
【発明が解決しようとする課題】
しかし前記従来の風向制御装置では、オートエアコンとの組合せによる自動的な風向調整が可能な半面、手動でルーバの角度を調整することができないため、風向調整する場合、その都度エアコンを操作しなければならず、操作性が悪いなどの問題がある。
【０００６】
また駆動モータを正逆回転させてスライド板を往復動させ、風向を調整する構造のため、クラッチ歯車等を必要として構造が複雑となるなどの問題もある。
【０００７】
本発明はかかる従来の問題点を改善するためになされたもので、自動及び手動による風向調整が可能な風向調整装置を簡単な構成で安価に提供することを目的とするものである。
【０００８】
【課題を解決するための手段】
前記目的を達成するため本発明の風向調整装置は、空気吹き出し口に設けられた複数の羽根を回動することにより、空気吹き出し口より吹き出される空気の風向を調整する風向調整装置であって、複数の羽根に連動され、かつ上下方向へスライド自在なスライドリンクと、正逆回転する回転駆動源により駆動されて、スライドリンクをスライドさせる揺動手段とから構成され、揺動手段を、前後動自在に設けられ、かつサブリンクを介してスライドリンクに連動されたスライド部材と、回転駆動源により回転され、かつスライドリンク及びスライド部材より突設されたガイドピンが嵌入するガイド溝を両面に有する回転部材とから構成して、揺動手段によりスライドリンクを介して羽根を揺動させることにより、空気吹き出し口より吹き出される空気の平行風を上下方向へ自動スイングさせると共に、自動スイングの途中で、空気を拡散または集中させる特性風を発生させるようにしたものである。
【０００９】
前記構成により、空気吹き出し口より吹き出される空気をスイングさせて車室内全体に吹き出すことができるため、快適な室内環境が容易に得られると共に、クラッチ歯車等を必要としない簡単な構造のため、安価に提供することができる。
【００１１】
また、前記構成により、サブリンクにより連動されたスライドリンクとスライド部材の作動が円滑になるため、回転駆動源への負担が少なくなると共に、作動中異音を発生することがないので、騒音の原因となることもない。
【００１２】
前記目的を達成するため本発明の風向調整装置は、回転駆動源により回転部材を正逆回転させることにより、スライドリンクを上下方向に、またスライド部材を前後方向にスライドさせるようにしたものである。
【００１３】
前記構成により、簡単な制御手段で装置の制御が容易に行えるため、経済的である。
【００１４】
前記目的を達成するため本発明の風向調整装置は、操作ノブにより羽根を回動することにより、手動で風向調整を可能にしたものである。
【００１５】
前記構成により、回転駆動源の停止時には操作ノブにより風向調整が行えるため、操作性が大変よい。
【００１６】
【発明の実施の形態】
本発明の実施の形態を、図面を参照して詳述する。
【００１７】
図１は風向調整装置の分解斜視図、図２は揺動手段の分解斜視図、図３は風向調整装置の縦断面図、図４ないし図１０は作用説明図である。
【００１８】
風向調整装置の本体１は、前面に開口部２ａが開口された角筒状のケース２を有しており、図示しないインストルメントパネルに開口された空気吹き出し口の内側に、開口部２ａを前方に向けて取り付けられるようになっている。
【００１９】
ケース２の開口部２ａには、複数枚の羽根３が上下方向に間隔を存して水平方向に設けられており、各羽根３の一端側に突設された軸ピン３ａは、ケース２の一方の側板２ｂに形成されたピン孔２ｃに回動自在に嵌合されている。
【００２０】
各羽根３の他端側には、軸ピン３ａと連結ピン３ｂが突設されていて、軸ピン３ａはケース２の他方の側板２ｂに沿って設けられたスペーサ４のピン孔４ａに回動自在に嵌合されている。
【００２１】
スペーサ４は、ケース２の開口縁に嵌着されていて、各ピン孔４ａの近傍に、ピン孔４ａを中心とする円弧状の長孔４ｂが形成されており、各羽根３の他端に突設された連結ピン３ｂは、これら長孔４ｂを貫通して、スペーサ４の外側面に設けられたスライドリンク５の各ガイド孔５ａに嵌合されている。
【００２２】
各ガイド孔５ａはスライドリンク５の中間部に位置するガイド孔５ａがほぼ水平に、また中間部より上方に位置するガイド孔５ａがほぼ逆ヘ字形に、そして中間部より下方に位置するガイド孔５ａがほぼヘ字形に形成されていると共に、スライドリンク５の上部の２個所と下部の１個所に突出部５ｂが後方へ突出されていて、これら突出部５ｂの先端側外側面にピン５ｃ，５ｅとガイドピン５ｄが突設されている。
【００２３】
そして上部と下部の突出部５ｂに突設されたピン５ｃ，５ｅの先端は、揺動手段６を構成する一対のサブリンク６ａの一端側に形成されたピン孔６ｂに嵌合されている。
【００２４】
揺動手段６は、空気吹き出し口より吹き出される平行風（通常風）と、空気吹き出し口より吹き出される集中風または拡散風を順次発生させるもので、ケース２の他方の側板２ｂと間隔を存して平行するよう設けられたカバー７内にスライドリンク５とともに収容されたスライド部材６ｃ及び回転部材１１を有している。
【００２５】
スライド部材６ｃは図２に示すように板状に形成されていて、カバー７側の上下部にガイド部６ｄが突設されており、これらガイド部６ｄがケース２の側板２ｂ外側面に突設されたガイド突条２ｄに上下方向より支持されて、前後方向へスライドできるようになっている。
【００２６】
サブリンク６ａの他端側には軸ピン６ｆが突設されていて、これら軸ピン６ｆはスライド部材６ｃに形成されたピン孔６ｇに回動自在に支承されており、スライドリンク５の上部側突出部５ｂより突出されたガイドピン５ｄの先端は、回転部材１１の一方の面に形成されたガイド溝１１ａに嵌挿されている。
【００２７】
回転部材１１は例えば中間ギヤにより形成されていて、他方の面にはスライド部材６ｃより突設されたガイドピン６ｈの先端が嵌入するガイド溝１１ｅが形成されている。
【００２８】
回転部材１１の一方の面に形成されたガイド溝１１ａは、図３に示すように一端側と他端側が反対方向に湾曲する円弧状部１１ｂ，１１ｃにより形成されていて、各円弧状部１１ｂ，１１ｃの中間部は段差１１ｄにより連設されており、円弧上部１１ｂは端部側より段差１１ｄ側の径が順次小さくなっていると共に、円弧上部１１ｃは端部側より段差１１ｄ側の径が順次大きくなっている。
【００２９】
また回転部材１１の他方の面に形成されたガイド溝１１ｅは、一端側が中心部をほぼ半周した後、直線部１１ｆにより円弧状部１１ｇに連設された形状となっていて、中心部を半周する部分の径に対して円弧状部１１ｇの径が大きく形成されている。
【００３０】
カバー７のスライド部材６ｃ側面には、押しボタンスイッチよりなるスイッチ手段８をカバー７内面に取り付ける取り付け片（図示せず）が突設されている。
【００３１】
スイッチ手段８は、自動で風向を調整する際に後述する回転駆動源１２をオン、オフ操作するもので、ケース２の開口部２ａに取り付けられたフィニッシャ１０のボタン孔１０ａより先端部がフィニッシャ１０の前面側へ突出されおり、フィニッシャ１０の両側には、ケース２の一方の外側面と、カバー７の外側面に突設された係止爪７ａにそれぞれ先端部が係合する係止片１０ｂが後方へ向けて突設されている。
【００３２】
回転部材１１は、ケース２の側板２ｂに突設された支軸２ｅに回転自在に支承されており、側板２ｂに取り付けられた正逆方向へ回転するモータよりなる回転駆動源１２に駆動ギヤ１３を介して接続されていて、回転駆動源１２により正逆方向へ回転駆動されるようになっている。
【００３３】
なお図１中１４は羽根３を手動で上下方向へ回動して、空気吹き出し口より吹き出される空気の風向を調整する際に使用する操作ノブで、中間の羽根３に設けられている。
【００３４】
次に前記構成された風向調整装置の作用を説明する。
【００３５】
図４に示すように各羽根３が例えば水平方向を向いた状態から、空気吹き出し口より車室内に通常風と拡散風または集中風を順次吹き出すべくスイッチ手段８を押圧すると、回転駆動源１２が回転を開始して、駆動ギヤ１３により回転部材１１を反時計回り方向へ回転させる。
【００３６】
これによって回転部材１１のガイド溝１１ａ，１１ｅによりガイドピン５ｄを介してスライドリンク５が図５に示す位置まで下降されて、各羽根３は斜め上向きとなるため、空気吹き出し口より吹き出される空気は、羽根３により上方向の平行風に風向調整される。
【００３７】
その後さらに回転部材１１が回転されて、図６に示す位置にスライド部材６ｃがスライドされ、またスライドリンク５が上昇されると、各羽根３は時計回り方向に回動されて水平となり、これによって空気吹き出し口より吹き出される空気は水平方向の平行風に風向調整されると共に、回転部材１１がさらに回転されると、図７に示すようにスライド部材１１が後退されながらスライドリンク５が下降されるため、各羽根３は時計回り方向に回動されて下向きとなり、これによって空気吹き出し口より吹き出される空気は下方向の平行風に風向調整される。
【００３８】
その後回転部材１１がさらに回転されると、スライド部材６ｃが最後部に達し、またスライドリンク５が図８に示す位置へと下降するため、最下段の羽根３は水平に、そしてそれより上の羽根３は下から上へ順次角度が大きくなった上向き位置となって、空気吹き出し口より吹き出される空気は各羽根３に拡散されて車室内へ吹き出されるようになる。
【００３９】
その後さらに回転部材１１が回転すると、図９に示すようにスライドリンク５が下降して、中間位置の羽根３は水平位置に、中間位置より上側の羽根３は上向きに回動され、そして中間位置より下側の羽根３は下向きに保持されるため、空気吹き出し口より吹き出される空気は各羽根３に拡散されて車室内へ吹き出されるようになる。
【００４０】
一方空気の拡散が終了すると、図１０に示すように最上段の羽根３が水平位置に、そしてそれより下の羽根３が上から下へ順次角度が大きくなった下向き位置となり、これを図示しないリミットスイッチ等の検出手段が検出すると、回転駆動源１２が逆転を開始するため、前記と逆の動作で空気吹き出し口より吹き出される空気を自動スイングさせることができる。
【００４１】
また空気吹き出し口から吹き出される空気の風向を手動で調整する場合は、中間部の羽根３に設けられた操作ノブ１４を指で摘んで上下方向へ回動する。
【００４２】
各羽根３はスライドリンク５により互に連動されているため、同時に上下方向へと回動し、これによって空気吹き出し口より吹き出される空気の風向を任意に調整することができるようになる。
【００４３】
なを前記実施の形態では風向の切換えを、水平、上方、水平、下方、上向き拡散、下向き拡散の順にしたが、これらの順に限定されるものではなく、回転部材１１に形成したガイド溝１１ａ，１１ｅの形状を変えることにより、任意な順序に設定できるものである。
【００４４】
【発明の効果】
本発明は以上詳述したように、空気吹き出し口より吹き出される空気の風向を調整する複数の羽根に連動され、かつ上下方向へスライド自在なスライドリンクと、正逆回転する回転駆動源により駆動されて、スライドリンクをスライドさせる揺動手段とから構成され、かつ揺動手段によりスライドリンクを介して羽根を揺動させることにより、空気吹き出し口より吹き出される空気の平行風を上下方向へ自動スイングさせると共に、自動スイングの途中で、空気を拡散または集中させる特性風を発生させるようにしたことから、空気吹き出し口より吹き出される空気をスイングさせて車室内全体に吹き出すことができるため、快適な室内環境が容易に得られると共に、クラッチ歯車等を必要としない簡単な構造のため、安価に提供することができる。
【００４５】
また揺動手段を、前後動自在に設けられ、かつサブリンクを介してスライドリンクに連動されたスライド部材と、回転駆動源により回転され、かつスライドリンク及びスライド部材より突設されたガイドピンが嵌入するガイド溝を両面に有する回転部材とから構成したことから、サブリンクにより連動されたスライドリンクとスライド部材の作動が円滑になるため、回転駆動源への負担が少なくなると共に、動作中異音を発生することがないので、騒音の原因となることもない。
【００４６】
さらに回転駆動源により回転部材を正逆回転させることにより、スライドリンクを上下方向に、またスライド部材を前後方向にスライドさせるようにしたことから、簡単な制御手段で装置の制御が容易に行えるため、経済的であると共に、操作ノブにより羽根を回動することにより、手動で風向調整を可能にしたことから、回転駆動源の停止時には操作ノブにより風向調整が行えるため、操作性が大変よい。
【図面の簡単な説明】
【図１】本発明の実施の形態になる風向調整装置の分解斜視図である。
【図２】本発明の実施の形態になる風向調整装置に設けられた揺動手段の分解斜視図である。
【図３】本発明の実施の形態になる風向調整装置の断面図である。
【図４】本発明の実施の形態になる風向調整装置の作用説明図である。
【図５】本発明の実施の形態になる風向調整装置の作用説明図である。
【図６】本発明の実施の形態になる風向調整装置の作用説明図である。
【図７】本発明の実施の形態になる風向調整装置の作用説明図である。
【図８】本発明の実施の形態になる風向調整装置の作用説明図である。
【図９】本発明の実施の形態になる風向調整装置の作用説明図である。
【図１０】本発明の実施の形態になる風向調整装置の作用説明図である。
【符号の説明】
３      羽根
５      スライドリンク
５ｄ    ガイドピン
６      揺動手段
６ａ    サブリンク
１１      回転部材
１１ａ    ガイド溝
１１ｅ    ガイド溝
１２      回転駆動源
１４      操作ノブ
【図１】
0003829700.tif 000002
【図２】
0003829700.tif 000003
【図３】
0003829700.tif 000004
【図４】
0003829700.tif 000005
【図５】
0003829700.tif 000006
【図６】
0003829700.tif 000007
【図７】
0003829700.tif 000008
【図８】
0003829700.tif 000009
【図９】
0003829700.tif 000010
【図１０】
0003829700.tif 000011